(57)【要約】【課題】再プリントの注文のときや現像済の写真フィルムの保管管理にさらに好ましく使用できる。【解決手段】写真フィルムカートリッジ返却部材は、再プリント注文票を有する再プリント注文シート部と、写真フィルムカートリッジを収納するカートリッジ収納部と、を一体に構成している。【選択図】図８
2004177977.tif 000002
【特許請求の範囲】
【請求項１】
再プリント注文票を有する再プリント注文シート部と、写真フィルムカートリッジを収納するカートリッジ収納部と、を一体に構成したことを特徴とする写真フィルムカートリッジ返却部材。
【請求項２】
前記再プリント注文票は、前記再プリント注文シート部から剥離可能であることを特徴とする請求項１に記載の写真フィルムカートリッジ返却部材。
【請求項３】
前記再プリント注文票は、前記再プリント注文シート部に印刷により設けられていることを特徴とする請求項１に記載の写真フィルムカートリッジ返却部材。
【請求項４】
前記再プリント注文シート部は、インデックスプリントを保持するプリント保持部を有することを特徴とする請求項１乃至請求項３のいずれか１項に記載の写真フィルムカートリッジ返却部材。
【請求項５】
前記プリント保持部は、インデックスプリントの４角部を挿入して保持する切り込みで構成したことを特徴とする請求項４に記載の写真フィルムカートリッジ返却部材。
【請求項６】
前記プリント保持部は、ポケット部で構成したことを特徴とする請求項４に記載の写真フィルムカートリッジ返却部材。
【請求項７】
前記カートリッジ収納部は、一対の切り込みを有する袋状にして一体に設けられ、前記写真フィルムカートリッジを前記一対の切り込みの間に位置させて前記切り込みを内側に折り込むことで保持することを特徴とする請求項１に記載の写真フィルムカートリッジ返却部材。
【請求項８】
再プリント注文票を有する再プリント注文シート部と、写真フィルムカートリッジを収納するカートリッジ収納部とを有する再プリント注文シートを用い、
前記カートリッジ収納部に、現像済の写真フィルムを収容している前記写真フィルムカートリッジを保持することを特徴とする再プリント注文シート作成方法。
【請求項９】
前記カートリッジ収納部は、一対の切り込みを有する袋状にして一体に設けられ、前記写真フィルムカートリッジを前記一対の切り込みの間に位置させて前記切り込みを内側に折り込むことで保持することを特徴とする請求項８に記載の再プリント注文シート作成方法。
【発明の詳細な説明】
【技術分野】
【０００１】
この発明は、再プリント注文に好ましく用いられる写真フィルムカートリッジ返却部材及び再プリント注文シート作成方法に関するものである。
【背景技術】
【０００２】
インデックスプリントは、１枚のシートに現像済の写真フィルムの画像駒をプリントしたものであり、再プリントの注文のときや現像済の写真フィルムの保管管理等に使用される。
【０００３】
また、写真プリントと焼き増し注文票が勝手にバラバラにならないようにする焼き増し注文券付きプリント写真がある（例えば特許文献１）。
【特許文献１】特開２０００−３５２７７８号公報（第１〜第８頁、図３）
【発明の開示】
【発明が解決しようとする課題】
【０００４】
再プリントの注文のときには、再プリント注文票が必要になるが、インデックスプリントは、再プリントの時の利用や、写真フィルムカートリッジに入っている写真フィルムの画像の確認には便利であるが、それ以外に利用方法がなかった。
【０００５】
また、従来の焼き増し注文券付きプリント写真では、写真プリントと焼き増し注文票が一体であり、焼き増し注文票を切り離して使用する際に、写真プリントを傷付ける等の問題がある。
【０００６】
この発明は、かかる点に鑑みてなされたもので、再プリントの注文のときや現像済の写真フィルムの保管管理にさらに好ましく使用できる写真フィルムカートリッジ返却部材及び再プリント注文シート作成方法を提供することを目的としている。
【課題を解決するための手段】
【０００７】
前記課題を解決し、かつ目的を達成するために、この発明は、以下のように構成した。
【０００８】
請求項１に記載の発明は、再プリント注文票を有する再プリント注文シート部と、写真フィルムカートリッジを収納するカートリッジ収納部と、を一体に構成したことを特徴とする写真フィルムカートリッジ返却部材である。
【０００９】
この請求項１に記載の発明によれば、再プリント注文シート部とカートリッジ収納部とを一体に構成することで、再プリントの注文のときや現像済の写真フィルムの保管管理にさらに好ましく使用できる。
【００１０】
請求項２に記載の発明は、前記再プリント注文票は、前記再プリント注文シート部から剥離可能であることを特徴とする請求項１に記載の写真フィルムカートリッジ返却部材である。
【００１１】
この請求項２に記載の発明によれば、再プリント注文票は、再プリント注文シート部から剥離可能であることで、再プリント注文の際には、再プリント注文票を剥離して写真フィルムカートリッジと一緒にして、ラボに送ることができ便利である。
【００１２】
請求項３に記載の発明は、前記再プリント注文票は、前記再プリント注文シート部に印刷により設けられていることを特徴とする請求項１に記載の写真フィルムカートリッジ返却部材である。
【００１３】
この請求項３に記載の発明によれば、再プリント注文票は、再プリント注文シート部に印刷により設けられていることで、再プリント注文の際に、再プリント注文票と写真フィルムカートリッジとを分離することなく一緒にラボに送ることができる。
【００１４】
請求項４に記載の発明は、前記再プリント注文シート部は、インデックスプリントを保持するプリント保持部を有することを特徴とする請求項１乃至請求項３のいずれか１項に記載の写真フィルムカートリッジ返却部材である。
【００１５】
この請求項４に記載の発明によれば、再プリント注文シート部は、インデックスプリントを保持するプリント保持部を有することで、再プリント注文に用いられる他に、インデックスプリントと、写真フィルムカートリッジを一緒に保管管理することができ、便利である。
【００１６】
請求項５に記載の発明は、前記プリント保持部は、インデックスプリントの４角部を挿入して保持する切り込みで構成したことを特徴とする請求項４に記載の写真フィルムカートリッジ返却部材である。
【００１７】
この請求項５に記載の発明によれば、プリント保持部は、インデックスプリントの４角部を挿入して保持する切り込みで構成したことで、再プリント注文に用いられる他に、インデックスプリントと、写真フィルムカートリッジを一緒に保管管理することができ、便利である。
【００１８】
請求項６に記載の発明は、前記プリント保持部は、ポケット部で構成したことを特徴とする請求項４に記載の写真フィルムカートリッジ返却部材である。
【００１９】
この請求項６に記載の発明によれば、プリント保持部は、ポケット部で構成したことで、インデックスプリントと、写真フィルムカートリッジを一緒に保管管理することができ、便利である。
【００２０】
請求項７に記載の発明は、前記カートリッジ収納部は、一対の切り込みを有する袋状にして一体に設けられ、前記写真フィルムカートリッジを前記一対の切り込みの間に位置させて前記切り込みを内側に折り込むことで保持することを特徴とする請求項１に記載の写真フィルムカートリッジ返却部材である。
【００２１】
この請求項７に記載の発明によれば、カートリッジ収納部は、写真フィルムカートリッジを一対の切り込みの間に位置させて切り込みを内側に折り込むことで保持することで、再プリント注文に用いられる他に、インデックスプリントと、写真フィルムカートリッジを一緒に保管管理することができ、便利である。
【００２２】
請求項８に記載の発明は、再プリント注文票を有する再プリント注文シート部と、写真フィルムカートリッジを収納するカートリッジ収納部とを有する再プリント注文シートを用い、
前記カートリッジ収納部に、現像済の写真フィルムを収容している前記写真フィルムカートリッジを保持することを特徴とする再プリント注文シート作成方法である。
【００２３】
この請求項８に記載の発明によれば、再プリント注文シートのカートリッジ収納部に、現像済の写真フィルムを収容している写真フィルムカートリッジを保持することで、写真フィルムカートリッジを保管管理することができ、便利である。
【００２４】
請求項９に記載の発明は、前記カートリッジ収納部は、一対の切り込みを有する袋状にして一体に設けられ、前記写真フィルムカートリッジを前記一対の切り込みの間に位置させて前記切り込みを内側に折り込むことで保持することを特徴とする請求項８に記載の再プリント注文シート作成方法である。
【００２５】
この請求項９に記載の発明によれば、写真フィルムカートリッジを一対の切り込みの間に位置させて切り込みを内側に折り込むことで、簡単かつ確実に保持することができる。
【発明の効果】
【００２６】
前記したように、請求項１に記載の発明では、再プリント注文シート部とカートリッジ収納部とを一体に構成することで、再プリントの注文のときや現像済の写真フィルムの保管管理にさらに好ましく使用できる。
【００２７】
請求項２に記載の発明では、再プリント注文票は、再プリント注文シート部から剥離可能であることで、再プリント注文の際には、再プリント注文票を剥離して写真フィルムカートリッジと一緒にして、ラボに送ることができ便利である。
【００２８】
請求項３に記載の発明では、再プリント注文票は、再プリント注文シート部に印刷により設けられていることで、再プリント注文の際に、再プリント注文票と写真フィルムカートリッジとを分離することなく一緒にラボに送ることができる。
【００２９】
請求項４に記載の発明では、再プリント注文シート部は、インデックスプリントを保持するプリント保持部を有することで、再プリント注文に用いられる他に、インデックスプリントと、写真フィルムカートリッジを一緒に保管管理することができ、便利である。
【００３０】
請求項５に記載の発明では、プリント保持部は、インデックスプリントの４角部を挿入して保持する切り込みで構成したことで、再プリント注文に用いられる他に、インデックスプリントと、写真フィルムカートリッジを一緒に保管管理することができ、便利である。
【００３１】
請求項６に記載の発明では、プリント保持部は、ポケット部で構成したことで、インデックスプリントと、写真フィルムカートリッジを一緒に保管管理することができ、便利である。
【００３２】
請求項７に記載の発明では、カートリッジ収納部は、写真フィルムカートリッジを一対の切り込みの間に位置させて切り込みを内側に折り込むことで保持することで、再プリント注文に用いられる他に、インデックスプリントと、写真フィルムカートリッジを一緒に保管管理することができ、便利である。
【００３３】
請求項８に記載の発明では、再プリント注文シートのカートリッジ収納部に、現像済の写真フィルムを収容している写真フィルムカートリッジを保持することで、写真フィルムカートリッジを保管管理することができ、便利である。
【００３４】
請求項９に記載の発明では、写真フィルムカートリッジを一対の切り込みの間に位置させて切り込みを内側に折り込むことで、簡単かつ確実に保持することができる。
【発明を実施するための最良の形態】
【００３５】
以下、この発明の写真フィルムカートリッジ返却部材及び再プリント注文シート作成方法の実施例について説明する。まず、この実施の形態の写真フィルムカートリッジ返却部材に保持して顧客に返却するインデックスプリントについて説明する。
【００３６】
インデックスプリントの第１実施例を、図１乃至図３に基づいて説明する。図１はインデックスプリントの平面図、図２はインデックスプリントの層構成を示す断面図、図３はインデックスプリントを作成する状態を示す斜視図である。
【００３７】
インデックスプリント１は、図１に示すように現像済の写真フィルムの画像駒のプリントを剥離可能なシールプリントで作成され、このシールプリントの駒画像シール２として剥離可能な画像領域が図２及び図３に示すようにして設けられている。
【００３８】
インデックスプリント１は、図２に示すように、支持体１０、剥離層１１、接着層１２、画像担持層１３の順に積層され、図１に示すように画像担持層１３に現像済の写真フィルムの画像駒の画像が形成される。インデックスプリント１の画像駒の画像が形成される部分にカッタ３を用いて切り込み４が、画像担持１３側から支持体１０に達するまで形成され、この切り込み４によって駒画像シール２を剥離層１１によって支持体１０から容易に剥離可能になっている。
【００３９】
この駒画像シール２内には、画像駒の画面サイズを示す枠、駒番号、デート等、画像駒のフィルム画面内に光学的に記録されている画像情報５以外の可視情報６をプリントしないように構成されている。この実施例では、画像情報５以外の可視情報６として、画像駒の画面サイズを示す枠６ａが設けられ、さらに駒番号６ｂが画像駒の画面の左下隅に形成されている。また、それぞれの画像情報５は、同じサイズにプリントして、それぞれの画像駒の画面の下に画像駒の画面サイズ６ｃを示すクラッシックの「Ｃ」、ハイビジョンの「Ｈ」、パノラマの「Ｐ」がプリントされている。
【００４０】
このように、シールプリント１の駒画像シール２として剥離可能な画像領域内には、画像駒の画面サイズを示す枠、駒番号、デート等、画像駒のフィルム画面内に光学的に記録されている画像情報５以外の可視情報６がプリントされていないため、駒画像シール２としていろいろな所に貼ることができる。また、インデックスプリント１に画像として載せておきたくない部分は、駒画像シール２を剥離するのみで簡単に対処することができる。
【００４１】
次に、インデックスプリントの第２実施例を、図４に基づいて説明する。図４はインデックスプリントの平面図である。
【００４２】
この第２実施例のインデックスプリント１は、現像済の写真フィルムの画像駒のプリントを剥離可能なシールプリントが図２及び図３と同様に作成される。
【００４３】
このインデックスプリント１は、シールプリントの駒画像シール２として剥離可能な画像領域以外に、この剥離可能な画像領域に対応させて画像駒の画面サイズを示す枠、駒番号、デート等、画像駒のフィルム画面内に光学的に記録されている画像情報５以外の可視情報６をプリントするようになっている。この実施例では、画像情報５以外の可視情報６として、画像駒の画面サイズを示す枠６ａ、駒番号６ｂ、画像駒の画面サイズ６ｃを示すクラッシックの「Ｃ」、ハイビジョンの「Ｈ」、パノラマの「Ｐ」、さらにデート６ｄがプリントされている。
【００４４】
このように、シールプリントの駒画像シール２として剥離可能な画像領域以外に、剥離可能な画像領域に対応させて画像駒の画面サイズを示す枠、駒番号、デート等、画像駒のフィルム画面内に光学的に記録されている画像情報５以外の可視情報６がプリントされているため、駒画像シール２としていろいろな所に貼ることができ、しかも剥離した部分の駒画像シール２のプリント条件等を知ることができる。
【００４５】
次に、インデックスプリントの第３実施例を、図５に基づいて説明する。図５はインデックスプリントの平面図である。
【００４６】
この第３実施例のインデックスプリント１は、現像済の写真フィルムの画像駒のプリントを剥離可能なシールプリントが図２及び図３と同様で作成される。
【００４７】
このインデックスプリント１は、剥離可能な駒画像シール２の下に、絵、模様、文字等７を支持体１０上に記録し、駒画像シール２の剥離で絵、模様、文字等７が露出可能に構成している。従って、インデックスプリント１の駒画像シール２を剥離すると、駒画像シール２の下に記録された絵、模様、文字等７が露出し、美観が損なわれることが防止される。
【００４８】
次に、インデックスプリントの第４実施例を、図６に基づいて説明する。図６はインデックスプリントの平面図である。
【００４９】
この第４実施例のインデックスプリント１は、現像済の写真フィルムの画像駒のプリントを剥離可能なシールプリントが図２及び図３と同様で作成される。
【００５０】
この第４実施例のインデックスプリント１は、剥離可能な駒画像シール２の下に、この駒画像シール２の画像と同じ画像８を支持体１０上に記録し、駒画像シール２の剥離で駒画像シール２の画像と同じ画像８を露出可能に構成している。従って、インデックスプリント１の駒画像シール２を剥離すると、駒画像シール２の画像と同じ画像８が露出し、再プリントの注文のとき駒画像の確認や現像済の写真フィルムの保管管理に好ましく使用できる。
【００５１】
次に、インデックスプリントの第５実施例を、図７に基づいて説明する。図７はインデックスプリントの平面図である。
【００５２】
この第５実施例のインデックスプリント１は、現像済の写真フィルムの画像駒のプリントを剥離可能なシールプリントが図２及び図３と同様で作成される。
【００５３】
この実施例のインデックスプリント１は、画像情報５が画像駒の画面サイズ（クラシック、ハイビジョン、パノラマ）に対応した縦横比でプリントされており、しかも剥離可能な駒画像シール２の画像領域内に、タイトル等９が印字されている。従って、インデックスプリント１の駒画像シール２を剥離して、駒画像シール２としていろいろな所に貼ることができるが、この駒画像シール２の画像領域内にタイトル等９が印字されているため、タイトル等９からコメントを知ることができる。
【００５４】
また、インデックスプリント１は、剥離可能な駒画像シール２の画像領域以外に、タイトル等２０が印字されている印字シール２１を剥離可能にしている。従って、インデックスプリント１の印字シール２１を剥離して、例えば冊子のアルバム等に貼ることができ、ユーザがコメントを手書きする必要がなく便利である。なお、第５実施例では、画像情報５を画像駒の画面サイズに対応した縦横比でプリントしたが、第１実施例と同様全ての画像情報５を同一の縦横比でプリントし、駒画像シール２の画像内に画面サイズ６ｃを示す「Ｃ」、「Ｈ］，「Ｐ」の文字を印字するようにしても良い。
【００５５】
以下、この発明の写真フィルムカートリッジ返却部材を構成する再プリント注文シートの実施例について説明する。まず、再プリント注文シートの第１実施例を、図８に基づいて説明する。図８は再プリント注文シートの使用状態を示す斜視図である。
【００５６】
この第１実施例の再プリント注文シート３０のシート本体３１には、再プリント注文票３２と、インデックスプリント１を保持するプリント保持部３３と、写真フィルムカートリッジ３４を収納するカートリッジ収納部３５とが設けられている。プリント保持部３３は、再プリント注文シート３０の４箇所に設けた切り込み３３ａで構成され、この切り込み３３ａにインデックスプリント１の角部を挿入し、シート本体３１の表側にインデックスプリント１が保持される。再プリント注文票３２は、シート本体３１の裏側に印刷により設けられている。また、カートリッジ収納部３５は、シート本体３１の側部に袋状にして一体に設けられている。カートリッジ収納部３５は、一対の切り込み３５ａが対向して設けられ、現像済の写真フィルムが収容されている写真フィルムカートリッジ３４を、一対の切り込み３５ａの間に位置させて切り込み３５ａを内側に折り込むことで保持状態になる。
【００５７】
このように、再プリント注文シート３０は、再プリント注文票３２、プリント保持部３３、カートリッジ収納部３５とを有しており、再プリント注文に用いられる他に、インデックスプリント１と、写真フィルムカートリッジ３４を一緒に保管管理することができ、便利である。また、再プリント注文票３２を印刷して設けており、再プリント注文の際に、再プリント注文シート３０により再プリント注文票３２と写真フィルムカートリッジ３４とを分離することなく一緒にラボに送ることができる。
【００５８】
次に、再プリント注文シートの第２実施例を、図９に基づいて説明する。図９（ａ）は再プリント注文シートの蓋部を閉じた状態を示す図、図９（ｂ）は再プリント注文シートの蓋部を開いた状態を示す図である。この実施例の再プリント注文シート３０は、前記実施例と同様に再プリント注文票３２と、インデックスプリント１を保持するプリント保持部３３と、写真フィルムカートリッジ３４を収納するカートリッジ収納部３５とを有しているが、プリント保持部３３は、シート本体３１に設けたポケット部３２ｂ、またはシート本体３１の蓋部３１ａに設けた６箇所に設けた切り込み３３ａで構成されている。シート本体３１に設けたポケット部３２ｂにインデックスプリント１を収納して蓋部３１ａをすることができる。また、蓋部３１ａにもインデックスプリント１を保持でき、しかも蓋部３１ａの６箇所に切り込み３３ａを設けることで、大きなの異なる２種類のインデックスプリント１を保持することができる。
【００５９】
次に、再プリント注文シートの第３実施例を、図１０に基づいて説明する。図１０は再プリント注文シートの使用状態を示す斜視図である。この実施例の再プリント注文シート３０は、図８の実施例と同様に再プリント注文票３２と、インデックスプリント１を保持するプリント保持部３３と、写真フィルムカートリッジ３４を収納するカートリッジ収納部３５とを有しているが、再プリント注文票３２は、シート本体３１から剥離可能に設けられている。再プリント注文の際には、再プリント注文票３２を剥離して写真フィルムカートリッジ３４と一緒にして、ラボに送ることができ便利である。
【００６０】
次に、再プリント注文シートの第４実施例を、図１１に基づいて説明する。図１１は再プリント注文シートの使用状態を示す斜視図である。この実施例の再プリント注文シート３０は、図１０の実施例と同様に再プリント注文票３２が、シート本体３１から剥離可能に設けられているが、プリント保持部３３は袋部３３ｄで構成されている。
【図面の簡単な説明】
【００６１】
【図１】第１実施例のインデックスプリントの平面図である。
【図２】インデックスプリントの層構成を示す断面図である。
【図３】インデックスプリントを作成する状態を示す斜視図である。
【図４】第２実施例のインデックスプリントの平面図である。
【図５】第３実施例のインデックスプリントの平面図である。
【図６】第４実施例のインデックスプリントの平面図である。
【図７】第５実施例のインデックスプリントの平面図である。
【図８】第１実施例の再プリント注文シートの使用状態を示す斜視図である。
【図９】第２実施例の再プリント注文シートの使用状態を示す図である。
【図１０】第３実施例の再プリント注文シートの使用状態を示す斜視図である。
【図１１】第４実施例の再プリント注文シートの使用状態を示す斜視図である。
【符号の説明】
【００６２】
１  インデックスプリント
３０  再プリント注文シート
３１  シート本体
３２  再プリント注文票
３３  プリント保持部
３３ａ  切り込み
３４  写真フィルムカートリッジ
３５  カートリッジ収納部
３５ａ  切り込み
【図１】
2004177977.tif 000003
【図２】
2004177977.tif 000004
【図３】
2004177977.tif 000005
【図４】
2004177977.tif 000006
【図５】
2004177977.tif 000007
【図６】
2004177977.tif 000008
【図７】
2004177977.tif 000009
【図８】
2004177977.tif 000010
【図９】
2004177977.tif 000011
【図１０】
2004177977.tif 000012
【図１１】
2004177977.tif 000013